(57)【要約】【課題】アドレステーブルの容量を削減し、さらにリングポート間でパケットを中継する際に高速な検索回路を必要としないパケット交換装置を得る。【解決手段】アドレステーブル７には、自パケット交換装置の支線回線ポート２に接続された端末装置のアドレスのみを記憶させ、パケット交換部６は、支線回線ポート２からパケットを受け取った場合、リング上の最終中継点を示すパケット交換装置１の識別子を付加してリング回線ポート３に中継するとともに、一方のリング回線ポート３からパケットを受け取った場合、この受け取ったパケットの宛先がアドレステーブル７に登録されているときは支線回線ポート３に中継し、自パケット交換装置がパケットの最終中継点でないときは他方のリング回線ポート３に中継するようにした。【選択図】図１
2009231886.tif 000002
【特許請求の範囲】
【請求項１】
互いにリング状に接続されてネットワークを構成するパケット交換装置において、
上記ネットワークに接続され、それぞれ送受信を行う２つのリング回線ポート、端末装置が接続される支線回線ポート、上記リング回線ポート及び上記支線回線ポート間でパケットを交換するパケット交換部、及び自パケット交換装置の上記支線回線ポートに接続された端末装置のアドレスを記憶するアドレステーブルを備え、
上記パケット交換部は、上記支線回線ポートからパケットを受け取った場合、リング上の最終中継点を示すパケット交換装置の識別子を付加して２つの上記リング回線ポートのいずれか一方または両方に中継するとともに、一方の上記リング回線ポートからパケットを受け取った場合、この受け取ったパケットの宛先が上記アドレステーブルに登録されているときは上記支線回線ポートに中継し、自パケット交換装置が上記受け取ったパケットに付与された最終中継点でないときは他方の上記リング回線ポートに中継することを特徴とするパケット交換装置。
【請求項２】
リピーターハブを中心にスター状に接続されてネットワークを構成するパケット交換装置において、
上記リピーターハブに接続される上位回線ポート、端末装置が接続される支線回線ポート、上記上位回線ポート及び上記支線回線ポート間でパケットを交換するパケット交換部、及び自パケット交換装置の上記支線回線ポートに接続された端末装置のアドレスを記憶するアドレステーブルを備え、
上記パケット交換部は、上記支線回線ポートからパケットを受け取った場合、上記上位回線ポートに中継するとともに、上記上位回線ポートからパケットを受け取った場合、この受け取ったパケットの宛先が上記アドレステーブルに登録されているときは上記支線回線ポートに中継することを特徴とするパケット交換装置。
【請求項３】
上記支線回線ポートは複数設けられ、
いずれかの上記支線回線ポートから受け取ったパケットを上記パケット交換部に中継するとともに、上記パケット交換部から受け取ったパケットを全ての上記支線回線ポートに中継するパケット多重分離部を備えたことを特徴とする請求項１または請求項２記載のパケット交換装置。
【請求項４】
上記パケット交換部は、上記パケット多重分離部からパケットを受け取った場合、この受け取ったパケットの宛先が上記アドレステーブルに登録されているときは、上記パケット多重分離部にこのパケットを送信することを特徴とする請求項３記載のパケット交換装置。
【請求項５】
上記支線回線ポートから受け取ったパケットの送信元アドレスを上記アドレステーブルに登録することを特徴とする請求項１〜請求項４のいずれかに記載のパケット交換装置。
【請求項６】
上記アドレステーブルに登録されたアドレスのうち、使用されない上記アドレスを定期的に消去することを特徴とする請求項５記載のパケット交換装置。
【請求項７】
上記アドレステーブルは、自パケット交換装置の上記支線回線ポートに接続された端末装置が属するマルチキャストグループを示すマルチキャストアドレスを登録することを特徴とする請求項１〜請求項６のいずれかに記載のパケット交換装置。
【請求項８】
上記パケット交換部は、上記支線回線ポート以外のポートから受け取ったパケットがブロードキャストパケットの場合には上記支線回線ポートに中継することを特徴とする請求項１〜請求項７のいずれかに記載のパケット交換装置。
【発明の詳細な説明】
【技術分野】
【０００１】
この発明は、お互いがリング状に接続された、またはリピーターハブを中心にスター状に接続されたパケット交換装置に関するものである。
【背景技術】
【０００２】
ネットワークの信頼性を高める技術としてパケット交換装置をリング状に接続する方法が一般的に知られている。この方法では、伝送路の１箇所が断線した場合、その他のパケット交換装置は断線した箇所を逆周りに迂回してパケットを中継し、残りのパケット交換装置でネットワークの機能を維持することができる（例えば、特許文献１参照）。
この従来技術によれば、パケット交換装置は、パケットを交換するパケット交換部と、受信したパケットに記された送信元端末装置の物理アドレスである送信元ＭＡＣ（Ｍｅｄｉａ  Ａｃｃｅｓｓ  Ｃｏｎｔｒｏｌ）アドレスをＭＡＣアドレス学習情報として保持するアドレステーブルと、受信したパケットに記された宛先ＭＡＣアドレスとアドレステーブルに保持されたＭＡＣアドレス学習情報を比較し、転送先のリング回線ポートまたは支線回線ポートを決定する機能を持つ。
例えば、送信元端末装置から宛先端末装置に至る経路上のパケット交換装置は、リング回線ポートまたは支線回線ポートから受信したパケットに記された宛先ＭＡＣアドレスを検索キーとしてアドレステーブルを検索し、該当の宛先端末装置がその先に存在するリング回線ポートまたは支線回線ポートを選択し、中継する。これにより、送信元端末装置から宛先端末装置にパケットが届けられる。
【０００３】
【特許文献１】特開２００４−２０１００９号公報（第５〜１０頁、図６）
【発明の開示】
【発明が解決しようとする課題】
【０００４】
従来のパケット交換装置は、以上のように構成されるので、ネットワーク上の全ての端末装置のＭＡＣアドレスをアドレステーブルで管理する必要があり、ネットワーク規模が大きくなるに従い、アドレステーブルが不足する問題があった。
また、リング状のネットワークでは、パケット交換装置のリングポート間のパケット中継時間とスループットがネットワーク全体の性能に大きく影響する。リングポート間のパケット中継時間とスループットを決定する一番の要素は、リングポート間でパケットを中継する際のアドレステーブルの検索時間とスループットであり、ネットワーク全体の性能を向上するために高速な検索回路が必要であった。
【０００５】
この発明は、上記のような問題を解決するためになされたものであり、アドレステーブルの容量を削減し、さらにリングポート間でパケットを中継する際に高速な検索回路を必要としないパケット交換装置を得ることを目的としている。
【課題を解決するための手段】
【０００６】
この発明に関わるパケット交換装置は、互いにリング状に接続されてネットワークを構成するパケット交換装置において、
ネットワークに接続され、それぞれ送受信を行う２つのリング回線ポート、端末装置が接続される支線回線ポート、リング回線ポート及び支線回線ポート間でパケットを交換するパケット交換部、及び自パケット交換装置の支線回線ポートに接続された端末装置のアドレスを記憶するアドレステーブルを備え、
パケット交換部は、支線回線ポートからパケットを受け取った場合、リング上の最終中継点を示すパケット交換装置の識別子を付加して２つのリング回線ポートのいずれか一方または両方に中継するとともに、一方のリング回線ポートからパケットを受け取った場合、この受け取ったパケットの宛先がアドレステーブルに登録されているときは支線回線ポートに中継し、自パケット交換装置が受け取ったパケットに付与された最終中継点でないときは他方のリング回線ポートに中継するものである。
【発明の効果】
【０００７】
この発明は、以上説明したように、互いにリング状に接続されてネットワークを構成するパケット交換装置において、
ネットワークに接続され、それぞれ送受信を行う２つのリング回線ポート、端末装置が接続される支線回線ポート、リング回線ポート及び支線回線ポート間でパケットを交換するパケット交換部、及び自パケット交換装置の支線回線ポートに接続された端末装置のアドレスを記憶するアドレステーブルを備え、
パケット交換部は、支線回線ポートからパケットを受け取った場合、リング上の最終中継点を示すパケット交換装置の識別子を付加して２つのリング回線ポートのいずれか一方または両方に中継するとともに、一方のリング回線ポートからパケットを受け取った場合、この受け取ったパケットの宛先がアドレステーブルに登録されているときは支線回線ポートに中継し、自パケット交換装置が受け取ったパケットに付与された最終中継点でないときは他方のリング回線ポートに中継するので、アドレステーブルの容量を削減できるとともに、リングポート間でパケットを中継する際に高速な検索回路を必要としない。
【発明を実施するための最良の形態】
【０００８】
実施の形態１．
図１は、この発明の実施の形態１によるパケット交換装置の構成を示す内部ブロック図である。
図１において、第１のパケット交換装置１は、外部に１つの支線回線ポート２と、それぞれ送受信を行う２つのリング回線ポート３ａ、３ｂを備える。内部に支線回線ポート２を終端する支線回線終端部４と、リング回線ポート３ａ、３ｂを終端するリング回線終端部５ａ、５ｂと、支線回線終端部４とリング回線終端部５ａ、５ｂの間でパケットを交換するパケット交換部６と、自身の支線回線ポート２の先に接続された端末装置のＭＡＣアドレスを記憶するアドレステーブル７を備える。
【０００９】
図２は、この発明の実施の形態１によるパケット交換装置を含むネットワークを示す構成図である。
図２において、第１のパケット交換装置１ａ〜１ｇは、リング回線ポート３を用いてお互いがリング状に接続されネットワークを構成する。端末装置８ａ〜８ｕは、第１のパケット交換装置１ａ〜１ｇの支線回線ポート２に接続され、第１のパケット交換装置１ａ〜１ｇを通じてお互いにパケットを送受信する。
例えば、図２において、第１のパケット交換装置１ａのアドレステーブル７には、端末装置８ａ〜８ｃの３つのＭＡＣアドレスが登録される。他の第１のパケット交換装置１ｂ〜１ｇに接続された端末装置８ｄ〜８ｕのアドレスを登録する必要はない。
ネットワークを構築する際に、支線回線ポート２の先に接続された端末装置８のＭＡＣアドレスをアドレステーブル７に予め固定的に設定する。
【００１０】
図３は、この発明の実施の形態１によるパケット交換装置で使用されるパケットを示す構成図である。
図３（ａ）は、支線回線ポート２で送受信するパケットの構成図であり、パケット先頭から順に、宛先端末装置８を示す宛先ＭＡＣアドレス、送信元端末装置８を示す送信元ＭＡＣアドレス、パケット本体であるペイロードで構成される。
図３（ｂ）は、リング回線ポート３で送受信するパケットの構成図であり、支線回線ポート２で送受信するパケットのさらに先頭に、そのパケットに対するリング上の最終中継点を示す終端パケット交換装置ＩＤが付加されている。
【００１１】
図４は、この発明の実施の形態１によるパケット交換装置の動作を示す真理値表である。
図４において、リング回線ポートからパケットを受信した場合、自身が受信パケットの終端パケット交換装置であるか否か、および受信パケットの宛先ＭＡＣアドレスがアドレステーブル７に登録されているか否かに応じて、パケットの処理方法を示している。
【００１２】
次に、動作について説明する。
図１において、第１のパケット交換装置１は、端末装置８から支線回線ポート２にパケットを受信した場合、自身から最も遠く、お互いが隣接する２台の第１のパケット交換装置１の識別子を、終端パケット交換装置ＩＤとして、パケット先頭に付加した２つのパケットを、リング回線ポート３ａ、３ｂのそれぞれに中継する。このとき、隣接する２台の第１のパケット交換装置１に右回りと左回りのパケットが重複して到着しないように、終端パケット交換装置ＩＤを付加する。
あるいは、自身のいずれか一方のリング回線ポート３に接続された第１のパケット交換装置１の識別子を終端パケット交換装置ＩＤとして、パケット先頭に付加し、他方のリング回線ポート３に中継する。
【００１３】
第１のパケット交換装置１は、リング回線ポート３ａ、３ｂのいずれか一方からパケットを受信した場合、自身が受信パケットの終端パケット交換装置であるか否か、および受信パケットの宛先ＭＡＣアドレスがアドレステーブル７に登録されているか否かに応じて、図４に示す真理値表に従って動作する。
【００１４】
例えば、図２において、端末装置８ａから端末装置８ｈにパケットを送信する場合、第１のパケット交換装置１ａは、支線回線ポート２からリング回線ポート３ａ、３ｂの両方に中継する。リング回線ポート３ｂに中継するパケットでは終端パケット装置ＩＤとしてパケット交換装置１ｄを設定し、リング回線ポート３ａに中継するパケットではパケット交換装置１ｅを設定する。
第１のパケット交換装置１ｂ、１ｆ、１ｇは、一方のリング回線ポート３から他方のリング回線ポート３に中継する（図４のＮｏ．４に該当）。
第１のパケット交換装置１ｃは、一方のリング回線ポート３から他方のリング回線ポート３に中継すると共に、パケットの宛先ＭＡＣアドレスがアドレステーブル７に登録されているため、支線回線ポート２に中継する（図４のＮｏ．３に該当）。
第１のパケット交換装置１ｄ、１ｅは、自身が受信パケットの終端パケット交換装置であるため、パケットを廃棄する（図４のＮｏ．２に該当）。
端末装置８ａが端末装置８ｃに宛てたパケットを送信する場合には、このパケットは端末装置８ｂ、８ｃとパケット交換装置１ａのすべてに到達する。パケット交換装置１ａから他のパケット交換装置１ｂ〜１ｇに不要なパケットを送信しないようにするために、パケット交換装置１では、支線回線ポート２からのパケットの宛先ＭＡＣアドレスがアドレステーブル７に登録されているかどうかをチェックし、アドレステーブル７に登録されている場合は、リング回線ポート３ａ、３ｂに中継しないようにしてもよい。
【００１５】
実施の形態１によれば、以上のように、第１のパケット交換装置１は、アドレステーブル７に登録するＭＡＣアドレス数が自身の支線回線ポート２に接続された端末装置８の台数で限定され、容量を大幅に削減することができる。
また、ＭＡＣアドレス登録数が少ないため、宛先ＭＡＣアドレスを簡易な回路で高速に検索でき、装置コストを大幅に削減することができる。
【００１６】
実施の形態２．
図５は、この発明の実施の形態２によるパケット交換装置の構成を示す内部ブロック図である。
図５において、第２のパケット交換装置９は、外部に１つの支線回線ポート２と、１つの上位回線ポート１０を備える。内部に支線回線ポート２を終端する支線回線終端部４と、上位回線ポート１０を終端する上位回線終端部１１と、支線回線終端部４と上位回線終端部１１の間でパケットを交換するパケット交換部６と、自身の支線回線ポート２の先に接続された端末装置のＭＡＣアドレスを記憶するアドレステーブル７を備える。
【００１７】
図６は、この発明の実施の形態２によるパケット交換装置を含むネットワークを示す構成図である。
図６において、第２のパケット交換装置９ａ〜９ｇは、上位回線ポート１０を用いてリピーターハブ１２に接続されスター状のネットワークを構成する。端末装置８ａ〜８ｕは、第２のパケット交換装置９ａ〜９ｇの支線回線ポート２に接続され、第２のパケット交換装置９ａ〜９ｇを通じてお互いにパケットを送受信する。
【００１８】
実施の形態２における支線回線ポート２および上位回線ポート１０で送受信するパケットの構成は、いずれも図３（ａ）に示した実施の形態１における支線回線ポート２のパケット構成と同一である。
【００１９】
図７は、この発明の実施の形態２によるパケット交換装置の動作を示す真理値表である。
図７において、上位回線ポート１０からパケットを受信した場合、受信パケットの宛先ＭＡＣアドレスがアドレステーブル７に登録されているか否かに応じて、パケットの処理方法を示している。
【００２０】
次に、動作について説明する。
図５において、第２のパケット交換装置９は、端末装置８から支線回線ポート２にパケットを受信した場合、上位回線ポート１０に中継する。
第２のパケット交換装置９は、上位回線ポート１０からパケットを受信した場合、受信パケットの宛先ＭＡＣアドレスがアドレステーブル７に登録されているか否かに応じて、図７に示す真理値表に従って動作する。
リピーターハブ１２は、一つのポートにパケットを受信した場合、他の全てのポートに中継する。
【００２１】
例えば、図６において、端末装置８ａから端末装置８ｈにパケットを送信する場合、第２のパケット交換装置９ａは、支線回線ポート２から上位回線ポート１０に中継する。
リピーターハブ１２は、第２のパケット交換装置９ａからパケットを受信すると、第２のパケット交換装置９ｂ〜９ｇに送信する。
第２のパケット交換装置９ｂ、９ｄ〜９ｇは、リピーターハブ１２からパケットを受信すると、宛先ＭＡＣアドレスがアドレステーブル７に登録されていないため、廃棄する（図７のＮｏ．２に相当）。
第２のパケット交換装置９ｃは、リピーターハブ１２からパケットを受信すると、宛先ＭＡＣアドレスがアドレステーブル７に登録されているため、支線回線ポート２に中継する（図７のＮｏ．１に相当）。
【００２２】
実施の形態２によれば、以上のように、第２のパケット交換装置９は、実施の形態１と同様の効果が得られる。
【００２３】
実施の形態３．
図８は、この発明の実施の形態３によるパケット交換装置の構成を示す内部ブロック図である。
図８において、第３のパケット交換装置１３は、外部に２つ以上の支線回線ポート２ａ〜２ｎと、２つのリング回線ポート３ａ、３ｂを備える。内部に支線回線ポート２ａ〜２ｎを終端する支線回線終端部４ａ〜４ｎと、リング回線ポート３ａ、３ｂを終端するリング回線終端部５ａ、５ｂと、支線回線終端部４とリング回線終端部５ａ、５ｂの間でパケットを交換するパケット交換部６と、自身の支線回線ポート２ａ〜２ｎの先に接続された端末装置のＭＡＣアドレスを記憶するアドレステーブル７と、支線回線ポート２ａ〜２ｎからパケット交換部６へパケットを多重、およびパケット交換部６から支線回線ポート２ａ〜２ｎへパケットをコピーして中継するパケット多重分離部１４を備える。
【００２４】
図９は、この発明の実施の形態３によるパケット交換装置を含むネットワークを示す構成図である。
図９において、第３のパケット交換装置１３ａ〜１３ｇは、リング回線ポート３を用いてお互いがリング状に接続され、ネットワークを構成する。端末装置８ａ〜８ｕは、第３のパケット交換装置１３ａ〜１３ｇの支線回線ポート２に接続され、第３のパケット交換装置１３ａ〜１３ｇを通じてお互いにパケットを送受信する。
例えば、図９において、第３のパケット交換装置１３ａのアドレステーブル７には、端末装置８ａ〜８ｃの３つのＭＡＣアドレスが登録される。他の第３のパケット交換装置１３ｂ〜１３ｇに接続された端末装置８ｄ〜８ｕのアドレスを登録する必要はない。
【００２５】
実施の形態３における支線回線ポート２とリング回線ポート３のパケット構成図は、実施の形態１と同様である。
【００２６】
次に、動作について説明する。
図８において、第３のパケット交換装置１３は、端末装置８から支線回線ポート２ａ〜２ｎのいずれか１つにパケットを受信した場合、実施の形態１と同様にリング回線ポート３ａ、３ｂのいずれか一方または両方に中継する。
第３のパケット交換装置１３は、リング回線ポート３ａ、３ｂのいずれか一方からパケットを受信した場合、実施の形態１と同様に図４に示す真理値表に従って動作する。但し、図４のＮｏ．１とＮｏ．３の場合、支線回線ポート２ａ〜２ｎ全てに中継する。
パケット多重分離部１４は支線回線ポート２間の交換機能を持たないため、例えば端末８ａから端末８ｂなどの同一パケット交換装置１３に接続する端末８間でパケットを送受信することがある場合は、パケット交換部６でパケット多重分離部１４からのパケットの宛先ＭＡＣアドレスがアドレステーブル７に登録されているかどうかをチェックし、アドレステーブル７に登録されている場合は、パケット多重分離部１４に送信してもよい。アドレステーブル７に登録されている場合には、リング回線ポート３ａ、３ｂには中継しないようにしてもよいし、無駄にはなるがリング回線ポート３ａ、３ｂに中継するようにしてもよい。また、パケット多重分離部１４からのパケットを、パケット交換部１３がパケット多重分離部１４に常に送信するようにしてもよい。
【００２７】
実施の形態３によれば、以上のように、第３のパケット交換装置１３により実施の形態１と同様の効果が得られると共に、第３のパケット交換装置１３は、複数の支線ポートを備えるため、実施の形態１における複数の端末装置が１つの支線ポートを共有する場合に比較し、各端末装置が各支線ポートの伝送帯域を占有でき、各端末装置に広帯域なネットワークを提供することができる。
【００２８】
なお、実施の形態３では、実施の形態１と同様のリング状のネットワークにおける例を示したが、実施の形態２と同様のスター状のネットワークであっても同様に動作でき、同様の効果が得られる。
【００２９】
実施の形態４．
実施の形態４における第４のパケット交換装置及びこれが含まれるネットワークは、実施の形態１〜実施の形態３のいずれかのパケット交換装置及びネットワークと同じ構成である。
【００３０】
実施の形態４における第４のパケット交換装置は、アドレステーブル７の管理方法のみが実施の形態１〜実施の形態３におけるものと異なっている。
第４のパケット交換装置は、支線回線ポート２から受信されたパケットの送信元ＭＡＣアドレスを参照し、アドレステーブル７に動的に登録する。
【００３１】
実施の形態４によれば、これにより、第４のパケット交換装置は、実施の形態１〜実施の形態３と同様の効果が得られると共に、端末装置８の追加時にアドレステーブル７を手動で再設定する必要がなく、端末装置８の追加が容易になり、ネットワークの保守コストを削減することができる。
【００３２】
実施の形態５．
実施の形態５における第５のパケット交換装置及びこれが含まれるネットワークは、実施の形態１〜実施の形態３のいずれかのパケット交換装置及びネットワークと同じ構成である。
【００３３】
実施の形態５における第５のパケット交換装置は、アドレステーブル７の管理方法のみが実施の形態４におけるものと異なっている。
第５のパケット交換装置は、アドレステーブル７から、使用されないＭＡＣアドレスを定期的かつ自動的に消去する。これはアドレステーブル７に特定期間に検索で使用されたかどうかを示す値を格納しておいて、これを定期的にチェックし、使用されていないＭＡＣアドレスが検出されれば、自動的に消去するものである。
【００３４】
実施の形態５によれば、第５のパケット交換装置は、実施の形態４と同様の効果が得られると共に、端末装置８の追加ばかりでなく、削除、移動、交換時にアドレステーブル７を手動で再設定する必要がなく、端末装置８の削除、移動、交換が容易になり、さらにネットワークの保守コストを削減することができる。
【００３５】
実施の形態６．
実施の形態６における第６のパケット交換装置及びこれが含まれるネットワークは、実施の形態１〜実施の形態３のいずれかのパケット交換装置及びネットワークと同じ構成である。
【００３６】
実施の形態６における第６のパケット交換装置は、基本的に実施の形態１〜実施の形態５におけるパケット交換装置と同様に動作し、アドレステーブル７の登録内容のみ異なっている。実施の形態１〜実施の形態５のアドレステーブル７は、自身の支線回線ポート２の先に接続された端末装置８のＭＡＣアドレスとして、ユニキャストアドレスを想定していたが、実施の形態６は、その端末装置８が所属するマルチキャストグループのアドレスであるマルチキャストアドレスをも登録するようにしている。
第６のパケット交換装置は、アドレステーブル７に対し、自身の支線回線ポート２の先に接続された端末装置８のＭＡＣアドレスに加え、これらの端末装置８が参加するマルチキャストグループに割り当てられたマルチキャストアドレスを登録する。
例えば、リング状のネットワークにおいて、第６のパケット交換装置は、リング回線ポート３ａ、３ｂのいずれか一方からパケットを受信した場合、自身が受信パケットの終端パケット交換装置であるか否か、および受信パケットの宛先ＭＡＣアドレスがアドレステーブル７に、ユニキャストアドレスまたはマルチキャストアドレスとして登録されているか否かに応じて、図４に示す真理値表に従って動作する。
このとき、宛先ＭＡＣアドレスがマルチキャストアドレスであるかユニキャストアドレスであるかに関わらず、同様に動作する。
【００３７】
実施の形態６によれば、第６のパケット交換装置は、実施の形態１〜実施の形態５と同様の効果が得られると共に、画像配信や放送などのマルチキャスト通信を収容でき、高機能なネットワークを提供できる。
【００３８】
実施の形態７．
実施の形態７における第７のパケット交換装置及びこれが含まれるネットワークは、実施の形態１〜実施の形態３のいずれかのパケット交換装置及びネットワークと同じ構成である。
【００３９】
実施の形態７における第７のパケット交換装置は、基本的に実施の形態１〜実施の形態６におけるパケット交換装置と同様に動作し、アドレステーブル７の検索方法のみが異なっている。
第７のパケット交換装置は、リング回線ポートまたは上位回線ポートから受け取ったパケットの宛先ＭＡＣアドレスが全端末装置８宛であることを示すブロードキャストアドレス（普通、システム内で特定のアドレスが設定される。）である場合、すなわち、そのパケットがブロードキャストパケットである場合には、アドレステーブル７を検索することなく、支線回線ポート２に中継する。
ブロードキャスト通信は、端末装置８の論理的なアドレスであるＩＰ（Ｉｎｔｅｒｎｅｔ  Ｐｒｏｔｏｃｏｌ）アドレスから物理的なアドレスであるＭＡＣアドレスを求めるＡＲＰ（Ａｄｄｒｅｓｓ  Ｒｅｓｏｌｕｔｉｏｎ  Ｐｒｏｔｏｃｏｌ）などで、一般的に使用される。
【００４０】
実施の形態７によれば、第７のパケット交換装置は、実施の形態１〜実施の形態６と同様の効果が得られると共に、ブロードキャスト通信も行うことができ、さらに高機能なネットワークを提供できる。
【００４１】
また、本発明は、上記の実施の形態１〜実施の形態７の構成態様のみに限定されるものではなく、例えば、実施の形態１〜実施の形態７の各構成を適時組み合わせることもでき、発明の趣旨を逸脱しない範囲において、各種の変形を加えることが可能である。
【図面の簡単な説明】
【００４２】
【図１】この発明の実施の形態１によるパケット交換装置の構成を示す内部ブロック図である。
【図２】この発明の実施の形態１によるパケット交換装置を含むネットワークを示す構成図である。
【図３】この発明の実施の形態１によるパケット交換装置で使用されるパケットを示す構成図である。
【図４】この発明の実施の形態１によるパケット交換装置の動作を示す真理値表である。
【図５】この発明の実施の形態２によるパケット交換装置の構成を示す内部ブロック図である。
【図６】この発明の実施の形態２によるパケット交換装置を含むネットワークを示す構成図である。
【図７】この発明の実施の形態２によるパケット交換装置の動作を示す真理値表である。
【図８】この発明の実施の形態３によるパケット交換装置の構成を示す内部ブロック図である。
【図９】この発明の実施の形態３によるパケット交換装置を含むネットワークを示す構成図である。
【符号の説明】
【００４３】
１  第１のパケット交換装置
２  支線回線ポート
３  リング回線ポート
４  支線回線終端部
５  リング回線終端部
６  パケット交換部
７  アドレステーブル
８  端末装置
９  第２のパケット交換装置
１０  上位回線ポート
１１  上位回線終端部
１２  リピーターハブ
１３  第３のパケット交換装置
１４  パケット多重分離部
【図１】
2009231886.tif 000003
【図３】
2009231886.tif 000004
【図４】
2009231886.tif 000005
【図５】
2009231886.tif 000006
【図７】
2009231886.tif 000007
【図８】
2009231886.tif 000008
【図２】
2009231886.tif 000009
【図６】
2009231886.tif 000010
【図９】
2009231886.tif 000011